(57)【特許請求の範囲】
【請求項１】
上部に設けた収納棚と、前記収納棚に収納可能な収納体と、前記収納棚と収納体の左右両側部間に設けた１対の昇降案内手段とを備え、前記収納棚内の収納位置と、前記収納棚の前方斜め下方の使用位置とにわたって、前記１対の昇降案内手段により収納体を昇降可能となした昇降式収納装置であって、
前記１対の昇降案内手段は、前部リンク部材及び後部リンク部材と、支持手段と、スライド部材とをそれぞれ備え、
前記スライド部材を収納体の側部に上下方向に移動自在に設け、
前記前部リンク部材を、リンク本体と、前記リンク本体の先端側部分に、前記収納位置において前記リンク本体からその前側へ突出するように設けた延長部とで構成し、前記リンク本体の基端側部分を収納棚の下部に回動自在に連結し、前記リンク本体の先端側部分をスライド部材の上部に回動自在に連結し、
前記後部リンク部材を前部リンク部材の後方に設け、前記後部リンク部材の基端側部分を収納棚の下部に回動自在に連結し、前記後部リンク部材の先端側部分をスライド部材の上部に回動自在に連結し、
前記支持手段を延長部と収納体間に設け、前記支持手段により、昇降時における延長部と収納体との相対移動を許容しながら、前記収納体の荷重を支持する、
ことを特徴とする昇降式収納装置。
【請求項２】
前記リンク本体と後部リンク部材により平行リンク機構を構成した請求項１記載の昇降式収納装置。
【請求項３】
前記収納位置において、前記延長部を前方上がりの傾斜状に設けた請求項１又は２記載の昇降式収納装置。
【請求項４】
前記支持手段として、前記収納体の側壁部に前後方向に延びる案内レールを設け、前記前部リンク部材の延長部に、前記案内レールに対して案内支持される案内輪を設けた請求項１〜３のいずれか１項記載の昇降式収納装置。
【請求項５】
前記支持手段として、前記延長部に長さ方向に延びる案内スリットを設け、前記収納体の側壁上部に案内スリットに沿って移動自在に案内ピンを設けた請求項１〜３のいずれか１項記載の昇降式収納装置。
【請求項６】
前記支持手段として、前記延長部を扇形歯車で構成し、前記収納体の側壁上部に扇形歯車に噛み合う上下方向に延びるラックを設けた請求項１〜３のいずれか１項記載の昇降式収納装置。
【請求項７】
前記支持手段として、前記延長部を扇形部材で構成し、前記収納位置において、一端部が扇形部材の後部に固定され、他端部が扇形部材の前側における収納体の側壁部に固定され、途中部が扇形部材の円弧に沿って配置される昇降用紐体を設けた請求項１〜３のいずれか１項記載の昇降式収納装置。
【発明の詳細な説明】
【技術分野】
【０００１】
本発明は、収納位置と使用位置とに昇降可能な収納体を備えた昇降式収納装置に関する。
【背景技術】
【０００２】
昇降式収納装置として、建物の内壁上部に設けた吊戸棚などの収納棚と、前記収納棚に収納可能な収納体と、前記収納棚と収納体の左右両側部間に設けた１対の昇降案内手段を備え、１対の昇降案内手段により、前記収納体を、前記収納棚内の収納位置と、前記収納位置から前方斜め下方の使用位置とにわたって昇降可能となしたものが広く実用化されている。
【０００３】
通常、昇降案内手段としては、前部リンク部材及び後部リンク部材を備え、両リンク部材の基端部を収納棚に回動自在に連結するとともに、先端部を収納体に回動自在に連結し、両リンク部材と収納棚と収納体とで平行リンク機構を構成して、収納位置と使用位置とにわたって、傾かないように略水平に収納体を昇降できるように構成している。
【０００４】
ところで、収納体は、収納した物品をできるだけ取り出し易くするため、昇降高さを大きくして、極力低い位置まで下降できるように構成することが好ましい。しかし、収納棚として、キッチン等で用いられる吊戸棚に収納体を配置させる場合には、吊戸棚の下壁部が邪魔になって、前部リンク部材を下壁部に当接する手前までしか回動できないことから、使用位置における収納体の高さを低くするには自ずから限界があった。
【０００５】
そこで、前部リンク部材を直線状に構成するのではなく、使用位置において吊戸棚の下壁部を回避するように、クランク状に構成したもの（例えば特許文献１参照。）や、前後のリンク部材の基端部を収納棚に対して前後方向に移動可能なスライド部材に連結し、使用時にはスライド部材を前側へ移動させて、前部リンク部材の下側への回動範囲を広く設定できるように構成したもの（例えば、特許文献２参照。）なども提案されている。
【先行技術文献】
【特許文献】
【０００６】
【特許文献１】特開２００５−２９６３６５号公報
【特許文献２】特開２００５−７３７２５号公報
【発明の概要】
【発明が解決しようとする課題】
【０００７】
しかし、特許文献１、２記載の発明においても、平行リンク機構で収納体を直接的に昇降させていることから、使用時における収納体の高さを低くするには自ずか限界があった。
【０００８】
しかも、特許文献１記載の発明では、リンク部材としてクランク状に形成したものを採用する必要があり、既存のリンク部材を用いることができず、大幅な設計変更を余儀なくされ、昇降案内手段の製作コストが高くなるという問題もある。
【０００９】
また、特許文献２記載の発明では、収納体を前後方向へスライド操作する必要があり、しかも、前後方向へのスライド操作は、高い位置での操作となるので、力が入り難くいことから、回動のみにより昇降させる場合と比較して、昇降操作性が大幅に低下するという問題がある。
【００１０】
本発明の目的は、操作性や安定性を低下させることなく、使用位置と収納位置における上下方向への移動距離を大きくし得る昇降式収納装置を提供するものである。
【課題を解決するための手段】
【００１１】
本発明は、以下の発明を包含する。
（１）上部に設けた収納棚と、前記収納棚に収納可能な収納体と、前記収納棚と収納体の左右両側部間に設けた１対の昇降案内手段とを備え、前記収納棚内の収納位置と、前記収納棚の前方斜め下方の使用位置とにわたって、前記１対の昇降案内手段により収納体を昇降可能となした昇降式収納装置であって、前記１対の昇降案内手段は、前部リンク部材及び後部リンク部材と、支持手段と、スライド部材とをそれぞれ備え、前記スライド部材を収納体の側部に上下方向に移動自在に設け、前記前部リンク部材を、リンク本体と、前記リンク部材の先端側部分に、前記収納位置においてリンク部材からその前側へ突出するように設けた延長部とで構成し、前記リンク本体の基端側部分を収納棚の下部に回動自在に連結し、前記リンク本体の先端側部分をスライド部材の上部に回動自在に連結し、前記後部リンク部材を前部リンク部材の後方に設け、前記後部リンク部材の基端側部分を収納棚の下部に回動自在に連結し、前記後部リンク部材の先端側部分をスライド部材の上部に回動自在に連結し、前記支持手段を延長部と収納体間に設け、前記支持手段により、昇降時における延長部と収納体との相対移動を許容しながら、前記収納体の荷重を支持することを特徴とする昇降式収納装置。
【００１２】
この昇降式収納装置では、リンク本体から前側へ突出する延長部に、支持手段を介して収納体が支持されており、収納体を昇降させると、前後のリンク部材を介してスライド部材が昇降するとともに、支持手段により収納体が支持されながら、延長部と収納体との相対移動が支持手段により許容され、収納位置と使用位置間において収納体を昇降できることになる。このとき、収納体は、リンク本体から前側へ突出する延長部を設けた分だけ上下方向への移動距離が大きくなり、収納体の使用位置における高さを低くすることが可能となる。また、リンク本体と後部リンク部材とで平行リンク機構を構成できるので、前後のリンク部材を安定性良く回動させることができ、収納体の昇降安定性及び昇降操作性を十分に確保できる。
【００１３】
（２）前記リンク本体と後部リンク部材により平行リンク機構を構成した（１）記載の昇降式収納装置。より具体的には、リンク本体の両端の枢支部を結ぶ線分と、後部リンク部材の両端の枢支部を結ぶ線分とが、平行で且つ同じ長さになるように構成して、平行リンク機構を構成することになる。そして、このような構成の平行リンク機構を用いることで、前部リンク部材と後部リンク部材とを安定性良く回動させて、収納体を安定性良く収納位置と使用位置とにわたって操作することができる。
【００１４】
（３）前記収納位置において、前記延長部を前方上がりの傾斜状に設けた（１）又は（２）記載の昇降式収納装置。この発明では、収納位置から使用位置への前部リンク部材の回動時に、延長部の姿勢は、前方上がりの傾斜状から、略水平、前方下がりの傾斜状、略下向きへと連続的に順次、角度が変化することになる。このため、延長部の長さを利用して、収納体の昇降高さをできるだけ大きく設定することができる。
【００１５】
（４）前記支持手段として、前記収納体の側壁部に前後方向に延びる案内レールを設け、前記前部リンク部材の延長部に、前記案内レールに対して案内支持される案内輪を設けた（１）〜（３）のいずれか記載の昇降式収納装置。この発明では、案内レールに沿って前後方向に案内輪が移動することで、昇降時における延長部と収納体との相対移動を許容し、案内レールが案内輪で支持されることで、収納体の荷重が支持されることになる。
【００１６】
（５）前記支持手段として、前記延長部に長さ方向に延びる案内スリットを設け、前記収納体の側壁上部に案内スリットに沿って移動自在に案内ピンを設けた（１）〜（３）のいずれか記載の昇降式収納装置。この発明では、案内スリットに沿って案内ピンが移動することで、昇降時における延長部と収納体との相対移動を許容し、案内ピンが案内スリットに支持されることで、収納体の荷重が前部リンク部材及び後部リンク部材に支持されることになる。
【００１７】
（６）前記支持手段として、前記延長部を扇形歯車で構成し、前記収納体の側壁上部に扇形歯車に噛み合う上下方向に延びるラックを設けた（１）〜（３）のいずれか記載の昇降式収納装置。この発明では、ラックに沿って扇形歯車がかみ合いながら上下方向に移動することで、昇降時における延長部と収納体との相対移動を許容しながら、扇形歯車によりラックが支持されて、収納体の荷重が支持されることになる。
【００１８】
（７）前記支持手段として、前記延長部を扇形部材で構成し、前記収納位置において、一端部が扇形部材の後部に固定され、他端部が扇形部材の前側における収納体の側壁部に固定され、途中部が扇形部材の円弧に沿って配置される昇降用紐体を設けた（１）〜（３）のいずれか記載の昇降式収納装置。この発明では、扇形部材に昇降用紐体が巻き取られたり、扇形部材から昇降用紐体が繰出されたりすることで、昇降時における延長部と収納体との相対移動を許容しながら、扇形部材により昇降用紐体が支持されて、収納体の荷重が支持されることになる。
【発明の効果】
【００１９】
本発明に係る昇降式収納装置によれば、収納位置においてリンク本体から前側へ突出する延長部を設けた分だけ収納体の上下方向への移動距離を大きくして、収納体の使用位置における高さを低くすることができる。また、リンク本体と後部リンク部材とで平行リンク機構を構成できるので、前後のリンク部材を安定性良く回動させることができ、収納体の昇降安定性及び昇降操作性を十分に確保できる。
【図面の簡単な説明】
【００２０】
【図１】設置状態での昇降式収納装置及びその周辺の縦断面図
【図２】収納棚を省略した昇降式収納装置の斜視図
【図３】収納棚を省略した昇降式収納装置の正面図
【図４】昇降式収納装置の縦断面図
【図５】図４のV-V線断面図
【図６】図４のVI-VI線断面図
【図７】昇降式収納装置の作動説明図
【図８】他の構成の昇降式収納装置の縦断面図
【図９】他の構成の昇降式収納装置の縦断面図
【図１０】他の構成の昇降式収納装置の縦断面図
【図１１】従来の昇降式収納装置の図１相当図
【発明を実施するための形態】
【００２１】
以下、本発明の実施の形態について図面を参照しながら説明する。なお、本実施の形態では、昇降式収納装置を使用する利用者を基準に前後左右上下を定義して説明する。
【００２２】
図１に示すように、昇降式収納装置１は、壁面Ｗの上部に設けた収納棚２と、収納棚２に収納可能な収納体３と、収納棚２と収納体３の左右両側部間に設けた１対の昇降案内手段１０を備え、収納体３のハンドル５を手で持って上下に操作することで、収納棚２内に収納した図１に実線で図示の収納位置と、収納棚２の前方斜め下方へ下降させた仮想線で図示の使用位置とにわたって、収納体３を昇降可能となしたものである。
【００２３】
収納棚２は、図１、図４に示すように、前面を開放した箱状に構成され、建物の内壁などの壁面Ｗの上部に固定されている。ただし、収納棚２としては、収納した各種物品を手で直接的に出し入れ困難な室内上部のデッドスペースを活用して、収納体３を収納可能なものであれば、任意の構成のものを採用することができる。例えば、建物の内壁などの壁面Ｗに代えて天井に収納棚を固定したり、家具等のラックの上部で収納棚を構成したりすることができる。また、収納棚２の前面を開閉する扉を設けたり、枠状の収納棚を採用したりすることもできる。
【００２４】
収納体３としては、図１〜図３に示すように、物品を収納するための収納部４と、収納体３を昇降操作するための下方へ延びるハンドル５とを有する、周知の構成のものを採用できる。
【００２５】
次に、収納体３を収納位置と使用位置とに昇降可能に案内する左右１対の昇降案内手段１０について、図１〜図７を参照しながら説明する。ただし、左右の昇降案内手段１０は左右対称の構成のものなので、右側の昇降案内手段１０についてのみ説明し、左側の昇降案内手段１０に関しては、右側の昇降案内手段１０の部材と対応する部材に同じ符号を付してその詳細な説明を省略する。
【００２６】
昇降案内手段１０は、前部リンク部材１６及び後部リンク部材１７を有する平行リンク機構１１と、前部リンク部材１６と収納体３間に設けた支持手段１２とを備えている。
【００２７】
平行リンク機構１１について説明すると、図１〜図４に示すように、収納棚２の底板２ａには収納体３と収納棚２の右側の側板２ｂ間において支持板１３が立設固定され、支持板１３の前部の下部には前部支軸１４が回転自在に設けられ、支持板１３の後部の上部には後部支軸１５が回転自在に設けられている。支持板１３の左側には前部リンク部材１６と後部リンク部材１７とが前後に間隔をあけて配置され、前部リンク部材１６の下端部は前部支軸１４を介して支持板１３に回動自在に支持され、後部リンク部材１７の下端部は後部支軸１５を介して支持板１３に回動自在に支持されている。
【００２８】
支持板１３の右側の前部の下部には付勢手段１８が固定され、前部リンク部材１６は、前部支軸１４を介して付勢手段１８により、収納位置側へ常時付勢されている。付勢手段１８としては、渦巻きバネを用いた周知の構成のものを採用することができるが、それ以外の構成のものを採用することも可能であるし、省略することも可能である。
【００２９】
前部リンク部材１６の下端部は収納位置において後方へ突出するブラケット部材１９が固定され、左右の昇降案内手段１０のブラケット部材１９間には左右方向に延びる第１ロッド部材２０が架設状に設けられている。左右の支持板１３の後端部の下端部には左右方向に延びる第２ロッド部材２１が架設状に設けられ、第１ロッド部材２０と第２ロッド部材２１間には引っ張りコイルバネからなる１乃至複数のバネ部材２２が設けられている。前部リンク部材１６は、バネ部材２２により、収納位置側へ常時付勢されて、バネ部材２２により収納体３及びそれに収納する物品の重量を受け止めることで、人手による昇降操作時の操作力が少なくできるように構成されている。ただし、バネ部材２２の本数は、収納体３に収納する物品の重量に応じて適宜に設定することが可能である。
【００３０】
支持板１３の右側の後部の上部には調速手段２３が固定され、後部リンク部材１７は、後部支軸１５を介して調速手段２３により、収納位置と使用位置間における回動が適正な速度となるように調速されている。調速手段２３としては、オイルダンパからなる周知の構成のものを採用することができるが、オイルダンパ以外の構成のものを採用することもできるし、省略することも可能である。
【００３１】
後部リンク部材１７には収納位置において下方へ延びる規制部１７ａが形成され、支持板１３には収納位置において規制部１７ａに当接して、後部リンク部材１７の後方への移動を規制する下部ストッパー部材２４と、使用位置において規制部１７ａに当接して、後部リンク部材１７の下方への移動を規制する上部ストッパー部材２５とが固定されている。
【００３２】
収納体３の側板３ａには、スライド部材３１を上下方向にのみ移動自在に案内する上下案内手段３０が設けられている。上下案内手段３０について説明すると、図４、図５に示すように、上下方向に延びる前後１対のガイド溝３２ａを対面状に形成したガイド部材３２が収納体３の側板３ａに固定され、ガイド部材３２の右側にはガイド部材３２と略同じ前後幅及び高さを有する板状のスライド部材３１が設けられている。スライド部材３１の下半部には前後のガイド溝３２ａに沿って移動可能な前後１対のガイド輪３３が左右方向の支軸３３ａを中心に回転自在に上下に間隔をあけて１組設けられ、スライド部材３１は４つのガイド輪３３及び２本のガイド溝３２ａによりガイド部材３２に沿って上下方向にのみ移動自在に案内されている。ただし、上下案内手段３０としては、スライド部材３１を収納体３に対して上下方向にのみ移動自在に案内し得る構成であれば、ガイド部材３２及びガイド輪３３を用いた上下案内手段３０以外の構成のものを採用することもできる。
【００３３】
前部リンク部材１６は、リンク本体１６ａと、リンク本体１６ａの先端側部分に、収納位置においてリンク本体１６ａからその前側へ突出するように取付けた延長部材１６ｂ（これが延長部に相当する。）とを備えている。なお、本実施の形態では、既存のリンク部材を活用して前部リンク部材１６を構成するため、前部リンク部材１６を、既存のリンク部材からなるリンク本体１６ａと、リンク本体１６ａに固定した延長部材１６ｂとで構成したが、リンク本体１６ａと延長部材１６ｂとは連続的に連なった一体加工品で構成することも可能である。
【００３４】
リンク本体１６ａの先端近傍部はスライド部材３１の前部側の上部に左右方向の前部連結ピン３４で回動自在に連結され、後部リンク部材１７の先端部はスライド部材３１の後部側の上端部に後部連結ピン３５で回動自在に連結されている。図４に示すように、前部支軸１４と前部連結ピン３４の中心間を結ぶ中心線分ＣＬ１と、後部支軸１５と後部連結ピン３５の中心間を結ぶ中心線分ＣＬ２とは、略長さと同じで且つ略平行に構成され、前部リンク部材１６のリンク本体１６ａ及び後部リンク部材１７と、支持板１３及びスライド部材３１とで平行リンクが構成され、収納体３を収納位置と使用位置とに操作することで、スライド部材３１が、図１、図７に実線で図示の収納位置と仮想線で図示の使用位置とにわたって平行に回動するように構成されている。
【００３５】
支持手段１２について説明すると、リンク本体１６ａの先端部には延長部材１６ｂが設けられ、延長部材１６ｂの先端近傍部には収納体３側へ突出する左右方向の軸部材３６が設けられ、軸部材３６には案内輪３７が回転自在に設けられている。収納体３の側板３ａの上部には前後方向に延びる断面Ｃ字状の案内レール３８が設けられ、案内輪３７は案内レール３８に前後方向にのみ移動自在に嵌合されている。延長部材１６ｂは、使用位置においてリンク本体１６ａから略鉛直方向に下側へ向けて突出するように、収納位置において前方上がりの傾斜状に設けられている。
【００３６】
この昇降式収納装置１において収納体３を昇降させるには、ハンドル５を手で握って、図７に仮想線で示すように、収納体３を前方斜め下側へ引き下ろすことで、前後のリンク部材１６、１７を介してスライド部材３１が収納位置から使用位置に平行に回動する。また、このとき収納体３は、スライド部材３１とともに前方へ平行移動するが、上下案内手段３０によりスライド部材３１に対して上下方向に相対移動可能なので、上下方向の位置は支持手段１２により規定されることになり、案内輪３７に支持されながらスライド部材３１に対して相対的に下方へ移動しながら、使用位置に移動することになる。なお、収納体３を使用位置から収納位置へ移動させる場合には、ハンドル５を手で握って、前記とは逆に収納体３を後方斜め上側へ引き上げて、収納体３を収納位置へ回動させることになる。
【００３７】
この昇降式収納装置１では、平行リンク機構１１のみで収納体３を昇降する場合と比較して、延長部を設けた分だけ上下方向への移動距離が大きくなり、収納体３の使用位置における高さを低くすることが可能となる。また、リンク本体１６ａと後部リンク部材１７とで平行リンク機構１１を構成できるので、前後のリンク部材１６、１７を安定性良く回動させることができ、収納体３の昇降安定性及び昇降操作性を十分に確保できる。
【００３８】
ここで、収納体３の昇降時における上下方向への最大移動距離について、本発明に係る昇降式収納装置１と、従来の昇降式収納装置１００とを比較した結果について説明する。
【００３９】
従来の昇降式収納装置１００として、図１１に示すように、前部リンク部材１６に代えて、後部リンク部材１７と同じ長さの前部リンク部材１０１を用い、支持手段１２及び上下案内手段３０を省略して、前部リンク部材１０１と後部リンク部材１７の上端部を前部連結ピン３４と後部連結ピン３５で収納体３の側板３ａに回動自在にそれぞれ固定した以外は、前記昇降式収納装置１と同様の構成のものを用いた。
【００４０】
昇降式収納装置１、１００における、前部リンク部材と後部リンク部材の上下の枢支点の中心線分ＣＬ１，ＣＬ２の長さを３９０ｍｍに設定した場合について、使用位置と収納位置間の上下方向の移動距離を測定した。
【００４１】
その結果、本発明の昇降式収納装置１の収納体３の昇降時における上下方向の移動距離Ｈ１は６６２ｍｍとなり、従来の昇降式収納装置１００の収納体３の昇降時における上下方向の移動距離Ｈ２は３９０ｍｍとなり、本発明の昇降式収納装置１の上下方向への移動距離が従来の昇降式収納装置１００よりも２７２ｍｍだけ大きくなって、その分高い位置に収納体３を配置させたり、その分低い位置に収納体３を下降させたりすることができた。
【００４２】
次に、昇降式収納装置１の構成を部分的に変更した他の実施の形態について説明する。なお、前記実施の形態と同一部材には同一符号を付してその詳細な説明を省略する。
【００４３】
（１）図８に示す昇降式収納装置１Ａの昇降案内手段１０Ａの支持手段１２Ａのように、前部リンク部材１６に代えて、リンク本体１６ａの先端部に収納位置において前方上がりの傾斜状に延びる延長部１６Ａｂを形成するとともに、該延長部１６Ａｂに長さ方向に細長い案内スリット５０を形成した前部リンク部材１６Ａを設け、案内レール３８に代えて、収納体３の側板３ａに案内スリット５０に沿って移動可能な案内ピン５１を設けることもできる。
【００４４】
（２）図９に示す昇降式収納装置１Ｂの昇降案内手段１０Ｂの支持手段１２Ｂのように、前部リンク部材１６に代えて、リンク本体１６ａの先端部に延長部としての扇形歯車１６Ｂｂを形成した前部リンク部材１６Ｂを設け、案内レール３８に代えて、収納体３の側板３ａに扇形歯車１６Ｂｂに噛合する上下方向に延びるラック５２を設けることもできる。
【００４５】
（３）図１０に示す昇降式収納装置１Ｃの昇降案内手段１０Ｃの支持手段１２Ｃのように、前部リンク部材１６に代えて、リンク本体１６ａの先端部に延長部としての扇形部材１６Ｃｂを形成した前部リンク部材１６Ｃを設け、案内レール３８を省略して、収納位置において、一端部が扇形部材１６Ｃｂの後部に固定部材５３で固定され、他端部が扇形部材１６Ｃｂの前側における収納体３の側板３ａに固定ピン５４で固定され、途中部が扇形部材１６Ｃｂの外周に形成した円弧溝５５に沿って配置される昇降用紐体５６を設けることもできる。
【００４６】
以上、本発明の実施形態について説明したが、本発明は前述した実施形態に何ら限定されるものではなく、本発明の要旨を逸脱しない範囲においてその構成を変更し得ることは勿論である。
【符号の説明】
【００４７】
１      昇降式収納装置
２      収納棚
２ａ    底板
２ｂ    側板
３      収納体
３ａ    側板
４      収納部
５      ハンドル
１０    昇降案内手段
１１    平行リンク機構
１２    支持手段
１３    支持板
１４    前部支軸
１５    後部支軸
１６    前部リンク部材
１６ａ  リンク本体
１６ｂ  延長部材
１７    後部リンク部材
１７ａ  規制部
１８    付勢手段
１９    ブラケット部材
２０    第１ロッド部材
２１    第２ロッド部材
２２    バネ部材
２３    調速手段
２４    下部ストッパー部材
２５    上部ストッパー部材
３０    上下案内手段
３１    スライド部材
３２    ガイド部材
３２ａ  ガイド溝
３３    ガイド輪
３３ａ  支軸
３４    前部連結ピン
３５    後部連結ピン
３６    軸部材
３７    案内輪
３８    案内レール
１Ａ      昇降式収納装置
１０Ａ    昇降案内手段
１２Ａ    支持手段
１６Ａ    前部リンク部材
１６Ａｂ  延長部
５０      案内スリット
５１      案内ピン
１Ｂ      昇降式収納装置
１０Ｂ    昇降案内手段
１２Ｂ    支持手段
１６Ｂ    前部リンク部材
１６Ｂｂ  扇形歯車
５２      ラック
１Ｃ      昇降式収納装置
１０Ｃ    昇降案内手段
１６Ｃ    前部リンク部材
１６Ｃｂ  扇形部材
１２Ｃ    支持手段
５３      固定部材
５４      固定ピン
５５      円弧溝
５６      昇降用紐体
１００    昇降式収納装置
１０１    前部リンク部材
ＣＬ１    中心線分
ＣＬ２    中心線分
Ｈ１      移動距離
Ｈ２      移動距離
Ｗ        壁面
【図１】
0006683341.tif 000002
【図２】
0006683341.tif 000003
【図３】
0006683341.tif 000004
【図４】
0006683341.tif 000005
【図５】
0006683341.tif 000006
【図６】
0006683341.tif 000007
【図７】
0006683341.tif 000008
【図８】
0006683341.tif 000009
【図９】
0006683341.tif 000010
【図１０】
0006683341.tif 000011
【図１１】
0006683341.tif 000012